(57)【要約】【課題】漂白処理の過程で、漂白効果を損なわずに、好ましい香りを対象の繊維製品に着香することができる繊維製品の着香方法を提供する。【解決手段】温度が０℃を超え４０℃以下の、所定成分を含有する第１の着香液に、繊維製品を８時間以上、１５時間以下浸漬する第１の着香工程と、温度が０℃を超え４０℃以下の、所定成分を含有する第２の着香液に、第１の着香工程終了後の繊維製品を１分以上、３０分以下浸漬する第２の着香工程と、を有する繊維製品の着香方法であって、第１の着香液の所定成分の配合量に対する第２の着香液の所定成分の配合量が、１／１０倍以上、１／２倍以下である、繊維製品の着香方法。【選択図】なし【特許請求の範囲】
【請求項１】
温度が０℃を超え４０℃以下の第１の着香液に、繊維製品を８時間以上、１５時間以下浸漬する第１の着香工程と、
温度が０℃を超え４０℃以下の第２の着香液に、第１の着香工程終了後の繊維製品を１分以上、３０分以下浸漬する第２の着香工程と、
を有する繊維製品の着香方法であって、
前記第１の着香液が、水と、（ａ）過炭酸ナトリウム２００ｍｇ／ｋｇ以上、１０００ｍｇ／ｋｇ以下（着香液の質量を基準とする配合量、以下同様）と、（ｂ）アルカリ金属の炭酸塩２００ｍｇ／ｋｇ以上、２０００ｍｇ／ｋｇ以下と、（ｃ）アルカリ金属の炭酸水素塩、及びアルカリ金属の塩酸塩から選ばれる１種以上の化合物１００ｍｇ／ｋｇ以上、１０００ｍｇ／ｋｇ以下と、（ｄ）炭素数８以上、１２以下のアルカノイル基を有するアルカノイルオキシベンゼン型漂白活性化剤１５ｍｇ／ｋｇ以上、２５０ｍｇ／ｋｇ以下と、（ｅ）香料５ｍｇ／ｋｇ以上、５０ｍｇ／ｋｇ以下と、アミノカルボン酸型キレート剤１０ｍｇ／ｋｇ未満とを混合して得られたものであり、且つ第１の着香液の配合量において（ａ）／（ｃ）の質量比が１以上、８以下、（ａ）／（ｄ）の質量比が１０以上、８０以下であり、
前記第２の着香液が、水と、（ａ）過炭酸ナトリウム〔以下、（ａ）成分という〕と、（ｂ）アルカリ金属の炭酸塩〔以下、（ｂ）成分という〕と、（ｃ）アルカリ金属の炭酸水素塩、及びアルカリ金属の塩酸塩から選ばれる１種以上の化合物〔以下、（ｃ）成分という〕と、（ｄ）炭素数８以上、１２以下のアルカノイル基を有するアルカノイルオキシベンゼン型漂白活性化剤〔以下、（ｄ）成分という〕と、（ｅ）香料〔以下、（ｅ）成分という〕と、（ｆ）アニオン界面活性剤及びノニオン界面活性剤から選ばれる１種以上の界面活性剤〔以下、（ｆ）成分という〕とを混合して得られたものであり、
第１の着香液の（ａ）成分の配合量に対する第２の着香液の（ａ）成分の配合量、第１の着香液の（ｂ）成分の配合量に対する第２の着香液の（ｂ）成分の配合量、第１の着香液の（ｃ）成分の配合量に対する第２の着香液の（ｃ）成分の配合量、第１の着香液の（ｄ）成分の配合量に対する第２の着香液の（ｄ）成分の配合量、及び第１の着香液の（ｅ）成分の配合量に対する第２の着香液の（ｅ）成分の配合量が、それぞれ、１／１０倍以上、１／２倍以下である、
繊維製品の着香方法。
【請求項２】
第１の着香液が（ｆ）成分を含有し、該第１の着香液を水で希釈して第２の着香液として用いる、請求項１記載の繊維製品の着香方法。
【請求項３】
（ｅ）成分が、炭素数８以上、炭素数１５以下の香料として用いられるアルコールを含む、請求項１又は２記載の繊維製品の着香方法。
【請求項４】
第１の着香工程における繊維製品と第１の着香液の質量比が、繊維製品／第１の着香液で、１以上、１０以下である、請求項１〜３の何れか１項記載の繊維製品の着香方法。
【請求項５】
第２の着香工程における繊維製品と第２の着香液の質量比が、繊維製品／第２の着香液で、５以上、５０以下である、請求項１〜４の何れか１項記載の繊維製品の着香方法。
【請求項６】
第１の着香工程を無攪拌下で行う、請求項１〜５の何れか１項記載の繊維製品の着香方法。
【請求項７】
第２の着香工程を攪拌下で行う、請求項１〜６の何れか１項記載の繊維製品の着香方法。
【請求項８】
第１の着香液で使用される（ｅ）成分と第２の着香液で使用される（ｅ）が、同一の香料である、請求項１〜７の何れか１項記載の繊維製品の着香方法。
【発明の詳細な説明】
【技術分野】
【０００１】
本発明は、繊維製品の着香方法に関する。
【背景技術】
【０００２】
近年、若い世代を中心に香りに関して嗜好性が高まっており、衣類などの繊維製品に対しても好ましい香りを着香することが一般家庭で行われている。着香方法としては芳香成分をトリガー式スプレーやなどで対象物に噴霧することが一般的であるが、洗濯工程などで使用される洗剤や柔軟剤に着香機能を持たせて繊維製品に着香することも行われている。しかしながら、洗剤や柔軟剤を用いて洗濯工程で着香した場合には、洗剤や柔軟剤そのものの香りとは異なる異質の匂いが衣類に付着する場合がある。
【０００３】
特許文献１には、アミノカルボン酸型キレート剤を含有する漂白性組成物を用いることで香料の残香性を向上させる技術が開示されており、前記組成物から調製した洗浄液に被洗浄物を１５分〜１２時間程度浸け置きできることが記載されている。また、特許文献２には、漂白性組成物の有効酸素の安定性を向上させる目的からケイ酸を用いる技術が開示されている。また、該公報には重曹とアルカノイルオキシベンゼンスルホン酸型漂白活性化剤を含有する組成物の記載もある。
【先行技術文献】
【特許文献】
【０００４】
【特許文献１】特開２０１１−５７７４５号公報
【特許文献２】特表平９−５１１５３３号公報
【発明の概要】
【発明が解決しようとする課題】
【０００５】
しかしながら、酸化性漂白剤や漂白活性化剤を多量に含む漂白性組成物は、一般には色柄物衣料の脱色の問題があるため、浸漬時間も２〜３時間程度が上限であると考えられている。実際、引用文献１の実施例でも全自動洗濯機の普通コースでの洗濯であり、長時間の浸漬による漂白処理は行われていない。
【０００６】
また、特許文献２では、アルカノイルオキシベンゼンスルホン酸型漂白活性化剤とアミノカルボン酸型キレート剤であるジエチレントリアミノ五酢酸が併用されているが、そのような特定のアミノカルボン酸型キレート剤を含有する組成物を浸漬処理に用いた場合、好ましくない香りの着香がしばしば発生し、これは浸漬時間が長くなればなるほど助長される。特許文献２では、漂白処理を行う際の香料の着香に関する技術課題やその解決手段に関しては全く言及がされておらず、香料を配合した組成で実際に浸漬処理した場合の効果も何ら示されていない。
【０００７】
本発明は、漂白処理の過程で、漂白効果を損なわずに、色柄物の繊維製品の色合いを維持しつつ、好ましい香りを対象の繊維製品に着香することができる繊維製品の着香方法を提供するものである。
【課題を解決するための手段】
【０００８】
本発明は、
温度が０℃を超え４０℃以下の第１の着香液に、繊維製品を８時間以上、１５時間以下浸漬する第１の着香工程と、
温度が０℃を超え４０℃以下の第２の着香液に、第１の着香工程終了後の繊維製品を１分以上、３０分以下浸漬する第２の着香工程と、
を有する繊維製品の着香方法であって、
前記第１の着香液が、水と、（ａ）過炭酸ナトリウム２００ｍｇ／ｋｇ以上、１０００ｍｇ／ｋｇ以下（着香液の質量を基準とする配合量、以下同様）と、（ｂ）アルカリ金属の炭酸塩２００ｍｇ／ｋｇ以上、２０００ｍｇ／ｋｇ以下と、（ｃ）アルカリ金属の炭酸水素塩、及びアルカリ金属の塩酸塩から選ばれる１種以上の化合物１００ｍｇ／ｋｇ以上、１０００ｍｇ／ｋｇ以下と、（ｄ）炭素数８以上、１２以下のアルカノイル基を有するアルカノイルオキシベンゼン型漂白活性化剤１５ｍｇ／ｋｇ以上、２５０ｍｇ／ｋｇ以下と、（ｅ）香料５ｍｇ／ｋｇ以上、５０ｍｇ／ｋｇ以下と、アミノカルボン酸型キレート剤を１０ｍｇ／ｋｇ未満とを混合して得られたものであり、且つ第１の着香液の配合量において（ａ）／（ｃ）の質量比が１以上、８以下、（ａ）／（ｄ）の質量比が１０以上、８０以下であり、
前記第２の着香液が、水と、（ａ）過炭酸ナトリウム〔以下、（ａ）成分という〕と、（ｂ）アルカリ金属の炭酸塩〔以下、（ｂ）成分という〕と、（ｃ）アルカリ金属の炭酸水素塩、及びアルカリ金属の塩酸塩から選ばれる１種以上の化合物〔以下、（ｃ）成分という〕と、（ｄ）炭素数８以上、１２以下のアルカノイル基を有するアルカノイルオキシベンゼン型漂白活性化剤〔以下、（ｄ）成分という〕と、（ｅ）香料〔以下、（ｅ）成分という〕と、（ｆ）アニオン界面活性剤及びノニオン界面活性剤から選ばれる１種以上の界面活性剤〔以下、（ｆ）成分という〕とを混合して得られたものであり、
第１の着香液の（ａ）成分の配合量に対する第２の着香液の（ａ）成分の配合量、第１の着香液の（ｂ）成分の配合量に対する第２の着香液の（ｂ）成分の配合量、第１の着香液の（ｃ）成分の配合量に対する第２の着香液の（ｃ）成分の配合量、第１の着香液の（ｄ）成分の配合量に対する第２の着香液の（ｄ）成分の配合量、及び第１の着香液の（ｅ）成分の配合量に対する第２の着香液の（ｅ）成分の配合量が、それぞれ、１／１０倍以上、１／２倍以下である、
繊維製品の着香方法に関する。
【発明の効果】
【０００９】
本発明によれば、爽やかな香りなど、好ましい香りを着香できる繊維製品の着香方法が提供される。本発明の着香方法は、漂白成分を含む処理液で漂白処理する場合の漂白効果を損なわないため、漂白工程中や洗濯工程中に組み込んで実施することができる。
【発明を実施するための形態】
【００１０】
本発明の第１の着香液、第２の着香液は、（ａ）〜（ｅ）成分を水と混合して得られたものである。また、第２の着香液は、更に（ｆ）成分を水と混合して得られたものである。以下、第１の着香液、第２の着香液に用いられる成分や量比等を説明するが、特記しない限り、いずれの説明内容も、第１の着香液、第２の着香液のそれぞれに適用できる。
【００１１】
〔（ａ）成分〕
本発明の（ａ）成分である過炭酸ナトリウムを用いて調製した第１の着香液及び第２の着香液で処理することで、繊維製品に爽やかな香りを付与できる優れた効果を発揮し得る。
【００１２】
〔（ｂ）成分〕
（ｂ）成分のアルカリ金属の炭酸塩は、ナトリウム及びカリウムから選ばれるアルカリ金属の炭酸塩が挙げられる。特に限定されるものではないが、例えば、炭酸ナトリウム及び炭酸カリウムから選ばれるアルカリ金属の炭酸塩が挙げられる。炭酸ナトリウム又は炭酸カリウムは粉末でも良く、顆粒を用いても良い。（ｂ）成分は、炭酸ナトリウムが好ましい。
【００１３】
〔（ｃ）成分〕
（ｃ）成分のアルカリ金属の炭酸水素塩は、ナトリウム及びカリウムから選ばれる１種以上のアルカリ金属の炭酸水素塩が挙げられる。特に限定されるものではないが、例えば、炭酸水素ナトリウム及び炭酸水素カリウムから選ばれるアルカリ金属の炭酸水素塩が挙げられる。炭酸水素ナトリウム又は炭酸水素カリウムは粉末でも良く、顆粒を用いても良い。
【００１４】
アルカリ金属の塩酸塩は、ナトリウム及びカリウムから選ばれる１種以上のアルカリ金属の塩酸塩が挙げられる。特に限定されるものではないが、塩化ナトリウム及び塩化カリウムから選ばれるアルカリ金属の塩酸塩が挙げられる。塩化アルカリ金属塩は粉末でも良く、顆粒を用いても良い。
【００１５】
〔（ｄ）成分〕
（ｄ）成分である、炭素数８以上、１２以下のアルカノイル基を有するアルカノイルオキシベンゼン型漂白活性化剤は、特に限定されるものではないが、例えば、下記一般式（ｄ１）で表されるものを挙げることができる。
【００１６】
【化１】
2014058755.tif 000002
【００１７】
〔式中、Ｒは７以上、１１以下のアルキル基を示し、Ｙは−ＳＯ3Ｍ又は−ＣＯＯＭ（ここで、Ｍは水素原子又はアルカリ金属原子を示す）を示す。〕
【００１８】
一般式（２）中において、Ｒで示されるアルキル基、好ましくは直鎖アルキル基は、通常の洗浄条件において充分な溶解性を確保し、汚れ成分の充分な吸着力を付与するため、炭素数は９又は１１が好ましい。また、Ｍで示されるアルカリ金属原子としては、ナトリウム原子、カリウム原子を挙げることができる。
【００１９】
このような漂白活性化剤としては、下記式（ｄ１−１）で表されるものが特に好ましい。
【００２０】
【化２】
2014058755.tif 000003
【００２１】
〔式中、Ｒは炭素数７以上、１１以下の直鎖アルキル基を示し、Ｍはナトリウム原子又はカリウム原子を示す。〕
【００２２】
一般式（３）で表される漂白活性化剤の具体例としては、ラウロイルオキシベンゼンスルホン酸ナトリウムが挙げられる。
【００２３】
〔（ｅ）成分〕
（ｅ）成分である香料は、繊維製品に対して爽やかな香りを付与できる点で、炭素数８以上、炭素数１５以下の香料として用いられるアルコール（以下、香料アルコールという）を含む香料が好ましい。繊維製品に対して香りを強く付与できる点で、香料アルコールの炭素数は８以上が好ましく、１０以上がより好ましい。繊維製品に対して、より爽やかな香りを付与できる点で、香料アルコールの炭素数は１４以下が好ましく、１２以下が好ましい。香料中の炭素数８以上、炭素数１５以下の香料アルコールの含有量は、１５質量％以上、８０質量％以下が好ましい。香料中の炭素数８以上、炭素数１５以下の香料アルコールの含有量は、繊維製品に対してより爽やかな香りを付与できる点で、２０質量％以上が好ましく、３０質量％以上がより好ましい。香料中の炭素数８以上、炭素数１５以下の香料アルコールの含有量は、経済性の点から、７０質量％以下が好ましく、５０質量％以下がより好ましい。以下に、炭素数８以上、炭素数１５以下の香料アルコールを例示する。
【００２４】
＜炭素数８の香料アルコール＞
３−オクタノール、１−オクテン−３−オール、２−フェニルエチルアルコール、１−フェニルエチルアルコール、４−メトキシベンジルアルコール、３−ヒドロキシ−５−メトキシトルエン
【００２５】
＜炭素数９の香料アルコール＞
２，４−ジメチル−２−ヘプタノール、トランス−２−シス−６−ノナジエノール、２，４−ジメチル−３−シクロヘキセン−１−メタノール、４−イソプロピルシクロヘキサノール、３−フェニル−２−プロペン−１−オール、３−フェニルプロピルアルコール
【００２６】
＜炭素数１０の香料アルコール＞
９−デセノール、３，７−ジメチル−１，６−オクタジエン−３−オール、３，７−ジメチル−トランス−２，６−オクタジエン−１−オール、３，７−ジメチル−シス−２，６−オクタジエン−１−オール、３，７−ジメチル−６−オクテン−１−オール、２−メチル−６−メチレン−７−オクテン−２−オール、２−イソプロペニル−５−メチル−４−ヘキセン−１−オール、３，７−ジメチルオクタノール、３，７−ジメチルオクタンー３−オール、２，６−ジメチル−７−オクテン−２−オール、３，７−ジメチル−４，６−オクタジエン−３−オール、ｐ−メンタン−８−オール、１−ｐ−メンテン−４−オール、ｐ−メンタン−３−オール、１，７，７−トリメチル−ビシクロ［１，２，２−］ヘプタン−２−オール、ｐ−メンス−８−エン−３−オール、４−イソプロピルシクロヘキサンメタノール、ｐ−ｔ−ブチルシクロヘキサノール、ｏ−ｔ−ブチルシクロヘキサノール、１−フェニル−２−メチル−２−プロパノール、２−プロピル−５−メチルフェノール、２−メチル−５−イソプロピルフェノール、２−メトキシ−４−アリールフェノール、２−メトキシ−４−（１−プロペニル）−フェノール
【００２７】
＜炭素数１１の香料アルコール＞
４−メチル−３−デセン−５−オール、１０−ウンデセノール、６，６−ジメチル−ビシクロ−［３，１，１］−２−ヘプテン−２−エタノール、１−（４−イソプロピルシクロヘキシル）−エタノール、４−フェニル−２−メチル−２−ブタノール、５−プロペニル−２−エトキシフェノール
【００２８】
＜炭素数１２の香料アルコール＞
２，２−ジメチル−３−（３−メチルフェニル）−プロパノール、１−フェニル−３−メチル−３−ペンタノール、３−メチル−５−フェニル−１−ペンタノール、３，７−ジメチル−７−メトキシオクタン−２−オール
【００２９】
＜炭素数１３の香料アルコール＞
２，５，５−トリメチル−１，２，３，４，４α，５，６，７−オクタヒドロ−２−ネフタレノール、２−メチル−４−（２，２，３−トリメチル−３−シクロペンテン−１−イル）−２−ブテン−１−オール、２−メチル−４−（２，２，３−トリメチル−３−シクロペンテン−１−イル）−ブタン−１−オール
【００３０】
＜炭素数１４の香料アルコール＞
１−（２−ｔ−ブチルシクロヘキシルオキシ）−２−ブタノール、α，β−２，２，６−ペンタメチルシクロヘキシルプロパノール、３−メチル−５−（２，２，３−トリメチル−３−シクロペンテン−１−イル）−ペンタン−２−オール、２−エチル−４−（２，２，３−トリメチル−３−シクロペンテン−１−イル）−２−ブテン−１−オール、３−メチル−５−（２，２，３−トリメチル−３−シクロペンテン−１−イル）−４−ペンテン−２−オール
【００３１】
＜炭素数１５の香料アルコール＞
３，７，１１−トリメチル−１，６，１０−ドデカトリエン−３−オール、３，７，１１−トリメチル−２，６，１０−ドデカトリエン−１２−オール、（−）−α−ビサボロール、セドロール、パチュリアルコール、ベチベロール、１−（２，２，６−トリメチルシクロヘキシル）−３−ヘキサノール、サンタロール、３，３−ジメチル−５−（２，２，３−トリメチル−３−シクロペンテン−１−イル）−４−ペンテン−２−オール
【００３２】
これら香料アルコール以外に（ｅ）成分として使用できる香料（香料化合物）として、分子内にアルデヒド基を有する香料として用いられる化合物（アルデヒド香料という）、分子内にエステル基を有する香料として用いられる香料（エステル香料という）、分子内にケトンを有する香料として用いられる香料（ケトン香料という）、ムスク様の香調を有する化合物（大環状ムスク）、植物から抽出される植物抽出物、及び植物精油から選ばれる香料化合物が挙げられる。
【００３３】
第１の着香液で使用される（ｅ）成分の香料及び第２の着香液で使用される（ｅ）成分の香料は、異なっていてもよく、同一であっても良い。繊維製品に、より爽やかな香りを付与できる点で、第１の着香液と第２の着香液で使用される香料は同一の香料（同じ成分により構成される香料）であることが好ましい。
【００３４】
〔（ｆ）成分〕
（ｆ）成分は、アニオン界面活性剤〔以下、（ｆ１）成分という〕及びノニオン界面活性剤〔以下、（ｆ２）成分という〕から選ばれる１種以上の界面活性剤である。第２の着香液にこれらの界面活性剤を配合することにより、繊維製品に対してより爽やかな香りを付与することができる。なお、（ｆ）成分は、第１の着香液に配合することができる。第１の着香液で用いられる（ｆ）成分は、第２の着香液で用いられる成分と、同一であっても、異なっていても良い。
【００３５】
（ｆ１）成分のアニオン界面活性剤としては、特に限定されるものではないが、例えば、高級アルコールの硫酸エステル塩、高級アルコールのエトキシル化物の硫酸エステル塩、アルキルベンゼンスルホン酸塩、パラフィンスルホン酸塩、α−オレフィンスルホン酸塩、α−スルホ脂肪酸塩、α−スルホ脂肪酸のエステル塩、及び脂肪酸塩から選ばれるアニオン界面活性剤が挙げられる。
【００３６】
爽やかな香り立ちを繊維製品に付与できる点から、アルキル鎖の炭素数が１０以上、好ましくは１２以上、そして、１８以下、好ましくは１４以下の直鎖アルキルベンゼンスルホン酸塩、アルキル鎖の炭素数が１０以上、好ましくは１２以上、そして、１８以下、好ましくは１６以下の高級アルコールの硫酸エステル塩、及びアルキル鎖の炭素数が１０以上、２０以下のα−スルホ脂肪酸アルキルエステル塩から選ばれるアニオン界面活性剤が好ましく、アルキル鎖の炭素数が１０以上、好ましくは１２以上、そして、１８以下、好ましくは１４以下の直鎖アルキルベンゼンスルホン酸塩、及びアルキル鎖の炭素数が１０以上、好ましくは１２以上、そして、１８以下、好ましくは１６以下の高級アルコールの硫酸エステル塩から選ばれるアニオン界面活性剤がより好ましい。
【００３７】
また、（ｆ１）成分の対イオンとしては、アルカリ金属、アルカリ土類金属、アンモニア、アルカノールアミン等が挙げられるが、アルカリ金属（すなわちアルカリ金属塩）が好ましい。
【００３８】
（ｆ２）成分のノニオン界面活性剤としては、特に限定されるものではないが、例えば、高級アルコールのエチレンオキシド（以下「ＥＯ」という）付加物、高級アルコールのＥＯ／プロピレンオキシド（以下「ＰＯ」という）付加物等が挙げられる。（ｆ２）成分としては、炭素数が１０以上、好ましくは１２以上、そして１６以下、好ましくは１４以下のアルコールにＥＯを平均１モル以上、好ましくは１０モル以上、そして、平均２５モル以下、好ましくは２０モル以下付加したノニオン界面活性剤が、繊維製品の色落ちを抑え、且つ繊維製品に対して爽やかな香りを付与できる点で好ましい。
【００３９】
前記（ｆ１）成分であるアニオン界面活性剤と（ｆ２）成分であるノニオン界面活性剤は、それぞれ単独で使用しても良いが、繊維製品に対してより爽やかな香りを付与できる点で併用して用いることが好ましい。
【００４０】
本発明では、（ｆ２）／（ｆ１）の質量比は０以上、３以下が好ましく、より好ましくは２以下、より好ましくは１以下、更に好ましくは１未満である。また、（ｆ２）／（ｆ１）の質量比は、特に過酸生成を促進させることで、家庭で長期間使用し続けている繊維製品に対しても、爽やかな香りを付与できる観点から、好ましくは０より大きく、より好ましくは０．２以上、より好ましくは０．４以上である。繊維製品に爽やかな香りを付与する効果の点で、（ｆ２）／（ｆ１）の質量比の上限値を１未満とすることが好ましい。
【００４１】
〔その他成分〕
本発明の第１の着香液及び第２の着香液には、それぞれ独立に、下記の成分を含有することが出来る。
【００４２】
（１）両性界面活性剤、陽イオン界面活性剤等の（ｆ）成分以外の界面活性剤
具体的には、スルホベタイン型両性界面活性剤、炭素数１０以上、１６以下の炭化水素基を分子内に１又は２つ有する第４級アンモニウム塩型界面活性剤等が挙げられる。
【００４３】
（２）トリポリリン酸塩等のリン酸塩ビルダー
具体的には、トリポリリン酸塩、オルトリン酸塩、ピロリン酸塩等から選ばれる１種以上が挙げられる。
【００４４】
（３）カルボン酸基及び／又はスルホン酸基を有するカチオン交換型ポリマー
具体的には、重量平均分子量が１千以上、８万以下のアクリル酸−マレイン酸コポリマーの塩、重量平均分子量が１千以上、８万以下のポリアクリル酸塩、特開昭５４−５２１９６号公報に記載の分子量が５千以上、２０万以下のポリグリオキシル酸等のポリアセタールカルボン酸塩が挙げられる。
【００４５】
（４）Ａ型、Ｘ型、Ｐ型ゼオライト等の結晶性アルミノ珪酸塩
結晶性アルミノ珪酸塩としては、Ａ型ゼオライト（例えば、商品名「トヨビルダー」：東ソー（株）製、ＪＩＳ  Ｋ  ５１０１法による吸油能：４０ｍＬ／１００ｇ以上）が好ましい。その他に、Ｐ型ゼオライト（例えば、商品名「Ｄｏｕｃｉｌ Ａ２４」、「ＺＳＥＯ６４」等；いずれもCrosfield社製；吸油能６０〜１５０ｍＬ／１００ｇ）、Ｘ型ゼオライト（例えば、商品名「WessalithXD」；Degussa社製；吸油能８０〜１００ｍＬ／１００ｇ）、国際公開第９８４２６２２号記載のハイブリッドゼオライトも好適なものとして挙げられる。
【００４６】
〔第１の着香液〕
本発明に用いられる第１の着香液の２５℃におけるｐＨは、繊維製品に汚れが多量に付着していても、繊維製品に爽やかな香りを付与することができる点で、９以上、更に９．４以上、更に９．５以上が好ましく、そして、１１未満、更に１０．５以下、更に１０．２以下が好ましい。なお、ｐＨは、（株）堀場製作所製ｐＨメータＦ５２、ｐＨ電極６３６７−Ｓ００４を用いて測定したものである。
【００４７】
本発明に用いられる第１の着香液は、（ａ）成分を２００ｍｇ／ｋｇ以上、１０００ｍｇ／ｋｇ以下の配合量（着香液の質量を基準とする配合量、以下同様）で用いて調製されたものである。第１の着香液における（ａ）成分の配合量は、繊維製品に爽やかな香りを付与する観点から、３００ｍｇ／ｋｇ以上、更に５００ｍｇ／ｋｇ以上が好ましい。また、色柄物繊維製品の色落ちを抑制する点で、（ａ）成分の配合量は、９００ｍｇ／ｋｇ以下、更に８００ｍｇ／ｋｇ以下が好ましい。
【００４８】
本発明に用いられる第１の着香液は、（ｂ）成分の配合量が２００ｍｇ／ｋｇ以上、２０００ｍｇ／ｋｇ以下である。第１の着香液における（ｂ）成分の配合量は、汚れが付着した繊維製品に対しても爽やかな香りを付与できる観点から、４００ｍｇ／ｋｇ以上、更に６００ｍｇ／ｋｇ以上、更に８００ｍｇ／ｋｇ以上が好ましく、そして、色落ちを抑制する観点から、１５００ｍｇ／ｋｇ以下、更に１３００ｍｇ／ｋｇ以下が好ましい。
【００４９】
本発明に用いられる第１の着香液は、（ｃ）成分の配合量が１００ｍｇ／ｋｇ以上、１０００ｍｇ／ｋｇ以下である。第１の着香液における（ｃ）成分の配合量は、繊維製品に爽やかな香りを付与できる点から、１５０ｍｇ／ｋｇ以上、更に２００ｍｇ／ｋｇ以上が好ましく、そして、着香液のｐＨを調整する観点から、８００ｍｇ／ｋｇ以下、更に５００ｍｇ／ｋｇ以下が好ましい。
【００５０】
本発明に用いられる第１の着香液は、（ｄ）成分の配合量が１５ｍｇ／ｋｇ以上、２５０ｍｇ／ｋｇ以下である。第１の着香液における（ｄ）成分の配合量は、繊維製品に持続性のある爽やかな香りを付与できる観点から、２０ｍｇ／ｋｇ以上、更に３０ｍｇ／ｋｇ以上が好ましく、そして、繊維製品に爽やかな香りを強く付与できる点で、１５０ｍｇ／ｋｇ以下、更に１００ｍｇ／ｋｇ以下が好ましい。
【００５１】
本発明に用いられる第１の着香液は、（ｅ）成分の配合量が５ｍｇ／ｋｇ以上、５０ｍｇ／ｋｇ以下である。第１の着香液における（ｅ）成分の配合量は、繊維製品に爽やかな香りを強く付与する観点から、８ｍｇ／ｋｇ以上、更に１０ｍｇ／ｋｇ以上が好ましく、そして、経済性の観点から、４０ｍｇ／ｋｇ以下、更に３０ｍｇ／ｋｇ以下が好ましい。
【００５２】
本発明に用いられる第１の着香液は、更に（ｆ）成分を配合して調製することもできる。その場合、第１の着香液における（ｆ）成分の配合量は、５００ｍｇ／ｋｇ以上、３０００ｍｇ／ｋｇ以下が好ましい。
【００５３】
また、本発明に用いられる第１の着香液は、繊維製品に爽やかな香りを付与できる観点から、（ａ）成分の配合量と（ｃ）成分の配合量の質量比（ａ）／（ｃ）が１以上、８以下である。質量比（ａ）／（ｃ）は、爽やかな香りをより強く付与できる観点から、１．２以上、更に２以上、更に３以上が好ましく、そして、６以下、更に５以下が好ましい。
【００５４】
また、本発明に用いられる第１の着香液は、繊維製品に爽やかな香りを付与できる観点から、（ａ）成分の配合量と（ｄ）成分の配合量の質量比（ａ）／（ｄ）が１０以上、８０以下である。質量比（ａ）／（ｄ）は、繊維製品に爽やかな香りを付与できる点で、１５以上、更に２０以上が好ましく、そして、色柄物の繊維製品の色落ちが少ない点から、４０以下、３０以下、更に２５以下が好ましい。
【００５５】
また、本発明に用いられる第１の着香液は、繊維製品に対してより爽やかな香りを付与できる観点から、アミノカルボン酸型キレート剤の配合量が１０ｍｇ／ｋｇ未満である。該第１の着香液におけるアミノカルボン酸型キレート剤の含有量は、８ｍｇ／ｋｇ以下、更に５ｍｇ／ｋｇ以下、更に３ｍｇ／ｋｇ以下が好ましい。最も好ましくは０ｍｇ／ｋｇである。
【００５６】
本発明に用いられる第１の着香液は、水を含有する。水は第１の着香液の全体を１００質量％とする量で用いられる。
【００５７】
＜第１の着香工程＞
本発明の第１の着香工程では、温度が０℃を超え４０℃以下の第１の着香液に、繊維製品を８時間以上、１５時間以下浸漬する。浸漬時間は、家庭において長期間使用された繊維製品を、爽やかな香りが香る香料が付着しやすいように改質し、繊維製品に対してより爽やかな香りを付与できる点で、９時間以上が好ましく、１０時間以上が好ましく、１２時間以上がより好ましい。また、浸漬時間は、色柄物の繊維製品の色落ちが少ない点から、１４時間以下が好ましく、１３時間以下がより好ましい。第１の着香液の温度は、前記範囲内であれば、浸漬の開始から終了まで同一に維持されていても、周囲温度との関係で低下、または上昇してもどちらでもよい。
【００５８】
繊維製品と第１の着香液の質量比は、繊維製品／第１の着香液で、１以上、更に３以上、更に５以上が好ましく、そして、１０以下、更に８以下が好ましい。
【００５９】
繊維製品と第１の着香液との浸漬時には、攪拌しても良いが、８時間以上、１５時間以下の間、攪拌し続けることは、繊維製品の傷みが懸念されることから、静置することが好ましい。すなわち、第１の着香工程は無攪拌下で行うことが好ましい。
【００６０】
浸漬を終えた繊維製品は、第１の着香液から取り出され、第２の着香液に浸漬される。第１の着香液から取り出された繊維製品は、第１の着香液を含んだまま、第２の着香液にそのまま浸漬させてもよい、また、繊維製品に付着している第１の着香液の量を脱水等の操作により、第１の着香工程に使用する前の繊維製品の質量（２０℃、４３％ＲＨ）に対して、第１の着香液の質量が３０〜８０質量％になるまで、第１の着香液を減少させて第２の着香工程に用いることもできる。
【００６１】
＜第２の着香液＞
本発明に用いられる第２の着香液の２５℃におけるｐＨは、繊維製品に汚れが多量に付着していても、繊維製品に爽やかな香りを付与することができる点で、９以上、更に９．４以上、更に９．５以上が好ましく、そして、１１未満、更に１０．５以下、更に１０．２以下が好ましい。なお、ｐＨは、（株）堀場製作所製ｐＨメータＦ５２、ｐＨ電極６３６７−Ｓ００４を用いて測定したものである。
【００６２】
第２の着香液は、（ａ）〜（ｆ）成分を配合してなるものであるが、そのうち、（ａ）成分、（ｂ）成分、（ｃ）成分、（ｄ）成分及び（ｅ）成分は、第１の着香液中の濃度よりも、それぞれ低くして用いられる。すなわち、第１の着香液の（ａ）成分の配合量に対する第２の着香液の（ａ）成分の配合量、第１の着香液の（ｂ）成分の配合量に対する第２の着香液の（ｂ）成分の配合量、第１の着香液の（ｃ）成分の配合量に対する第２の着香液の（ｃ）成分の配合量、第１の着香液の（ｄ）成分の配合量に対する第２の着香液の（ｄ）成分の配合量、及び第１の着香液の（ｅ）成分の配合量に対する第２の着香液の（ｅ）成分の配合量が、それぞれ、１／１０以上、好ましくは１／８以上、より好ましくは１／５以上であり、そして、１／２以下、好ましくは１／３以下、より好ましくは１／４以下である。この比率は、各成分の配合量に基づいて計算で求めることができる。従って、ある成分の配合量について、第１の着香液における配合量をＸ（ｍｇ／ｋｇ）、第２の着香液における配合量をＹ（ｍｇ／ｋｇ）とすると、Ｙ／Ｘが、１／１０以上、１／２以下である。Ｙ／Ｘの比は、衣類に爽やかな香りを付与する点で、１／８以上が好ましく、１／５以上がより好ましい。また、Ｙ／Ｘの比は、色柄物の色落ちを抑制する点で、１／３以下が好ましく、１／４以下がより好ましい。
【００６３】
第２の着香液で用いられる（ａ）成分〜（ｅ）成分は、第１の着香液で用いられる成分と、同一であっても、異なっていても良い。
【００６４】
本発明に用いられる第２の着香液は、更に（ｆ）成分を配合して調製されたものである。第２の着香液における（ｆ）成分の配合量は、２００ｍｇ／ｋｇ以上、２０００ｍｇ／ｋｇ以下が好ましい。第２の着香液における（ｆ）成分の配合量は、繊維製品に爽やかな香りを付与する観点から、３００ｍｇ／ｋｇ以上、更に６００ｍｇ／ｋｇ以上が好ましく、そして、経済性の観点から、１６００ｍｇ／ｋｇ以下、更に１０００ｍｇ／ｋｇ以下が好ましい。
【００６５】
＜第２の着香工程＞
本発明の第２の着香工程では、温度が０℃を超え４０℃以下の第２の着香液に、第１の着香工程終了後の繊維製品を１分以上、３０分以下浸漬する。浸漬時間は、繊維製品に対してより爽やかな香りを付与できる点で、２分以上が好ましく、５分以上が好ましく、１０分以上がより好ましい。また、浸漬時間は、色柄物の繊維製品の色落ちが少ない点から、２５分以下が好ましく、２０分以下がより好ましい。第２の着香液の温度は、前記範囲内であれば、浸漬の開始から終了まで同一に維持されていても、周囲温度との関係で低下、または上昇してもどちらでもよい。
【００６６】
繊維製品と第２の着香液の質量比は、第２の着香液（ｋｇ）／繊維製品（ｋｇ）で、５以上、更に８以上、更に１２以上が好ましく、そして、５０以下、更に３０以下が好ましい。
【００６７】
第１の着香工程で用いた第１の着香液が（ｆ）成分を含有する場合、該第１の着香液を水で希釈したものを第２の着香液として用いてもよい。この場合、第１の着香工程で第１の着香液に所定時間繊維製品を浸漬した後、第１の着香液に繊維製品が浸漬された状態で第１の着香液に水を加えて第２の着香液を調製して第２の着香工程を行うことができる。
【００６８】
また、本発明では、第１の着香液と第２の着香液とを、（ａ）成分、（ｂ）成分、（ｃ）成分、（ｄ）成分、（ｅ）成分、及び（ｆ）成分を含有する同じ組成物からそれぞれ調製することができる。すなわち、（ａ）成分、（ｂ）成分、（ｃ）成分、（ｄ）成分、（ｅ）成分、及び（ｆ）成分を含有する組成物から第１の着香液を調製し、且つ前記組成物を第１の着香液の調製に用いた配合量の１／１０倍以上、１／２倍以下の配合量で用いて第２の着香液を調製して、それぞれ、第１の着香工程、第２の着香工程に用いることができる。更に、前記組成物から調製した第１の着香液を水で１／１０倍以上、１／２倍以下に希釈して第２の着香液を調製することもできる。
【００６９】
繊維製品と第２の着香液との浸漬時には静置してもよく、攪拌しても良い。繊維製品により爽やかな香りを付与できる点で、攪拌することが好ましい。すなわち、第２の着香工程は攪拌下で行うことが好ましい。攪拌は、家庭用全自動洗濯機の洗浄槽を使用して行うことが好ましい。
【実施例】
【００７０】
〔香りの評価〕
＜配合成分＞
第１の着香液、第２の着香液の調製に用いた成分を以下に示す。
・過炭酸ナトリウム：ＫＣＰＺ−Ｓ（日本パーオキサイド（株）製）
・炭酸ナトリウム：デンス灰（平均粒径：２９０μｍ、セントラル硝子（株）製）
・炭酸水素ナトリウム：重炭酸ナトリウム（旭硝子（株）製）
・塩化ナトリウム：焼き塩Ｓ１０００（日本製塩（株）製）
・ドデカノイルオキシベンゼンスルホン酸ナトリウム：ＢＡ−２０（花王（株）製）
・ノナノイルオキシベンゼンスルホン酸ナトリウム：ＮＯＢＳ（ＪＩＮＫＥ社製）
・香料：下記に示す香料化合物を含有する香料組成物〔（  ）内の数字は香料組成物中の各香料化合物の含有量（質量％）〕。
ｏ−ｔｅｒｔ−ブチルシクロへキシルアセテート（５）、テトラヒドロゲラニオール（２５）、ゲラニオール（１０）ヘキシルシンナミックアルデヒド（１０）、リリアール（１０）、テトラヒドロリナロール（２０）、ｐ−ｔｅｒｔ−ブチロシクロヘキシルアセテート（５）、サリチル酸ベンジル（５）、パーライド（５）、ジプロピレングリコール（５）
・アルキルベンゼンスルホン酸ナトリウム：ネオペレックスＧ−２５（花王（株）製）
・ポリオキシエチレンアルキルエーテル：エマルゲン１０８（エチレンオキサイド平均付加モル数：６、アルキル鎖の炭素数：１２、花王（株）製）
・硫酸ナトリウム：無水中性芒硝（四国化成（株）製）
・蛍光染料：チノパールＣＢＳ−Ｘ（ＢＡＳＦ社製）
・ポリアクリル酸ナトリウム水溶液：オリゴマーＤ（重量平均分子量１万（花王（株）製、固形分の配合量が表中の値となるように用いた。）
・結晶性アルミノ珪酸ナトリウム：ゼオビルダー（４Ａ型ゼオライト、平均粒径：３．５μｍ）、ゼオビルダー社製）
・ポリエチレングリコール：ＰＥＧ−１３０００（重量平均分子量：１３２００、三井化学（株）製）
・アミノカルボン酸型キレート剤：エチレンジアミン四酢酸四ナトリウム塩（シグマアルドリッチジャパン株式会社製）
【００７１】
＜第１の着香工程＞
（Ｉ）試験布（１）の作製
下記組成のモデル皮脂汚染液を布に付着させ、試験布（１）を調製した。モデル皮脂汚染液の布への付着は、特開平７−２７０３９５号公報に準じて、グラビアロールコーターを用いてモデル皮脂汚染液を布に印刷することで行った。モデル皮脂汚染液を布に付着させ試験布を作製する工程は、グラビアロールのセル容量５８ｃｍ3／ｃｍ2、塗布速度１．０ｍ／ｍｉｎ、乾燥温度１００℃、乾燥時間１分で行った。布は木綿金巾２００３布（谷頭商店製）を使用した。得られた試験布は１０ｃｍ×１０ｃｍの大きさに裁断し試験布（１）とした。
【００７２】
（モデル皮脂汚染液の組成）
ラウリン酸０．４４質量％（以下％）、ミリスチン酸３．０９％、ペンタデカン酸２．３１％、パルミチン酸６．１８％、ヘプタデカン酸０．４４％、ステアリン酸１．５７％、オレイン酸７．７５％、トリオレイン酸１３．０６％、パルミチン酸ｎ−ヘキサデシル２．１８％、スクアレン６．５３％、卵白レシチン液晶物１．９４％、鹿沼赤土８．１１％、カーボンブラック０．０１％、水道水はバランス量。
【００７３】
（II）試験布の処理
上記で作成した試験布（１）を３５ｃｍ×３０ｃｍの木綿台布１枚につき３枚ずつ縫い付けて試験布（２）を作製した。２０リットルのプラスチック製バケツに、試験布（２）と、表１の組成の第１の着香液１０リットルを投入した。このときの浴比〔着香液の容量（リットル）／試験布（２）の質量（ｋｇ）〕は５であった。また、バケツに投入した直後の着香液の温度は２０℃であり、ｐＨは１０．５であった。なお、表中、水の配合量の「残部」とは、着香液１ｋｇあたりの各成分の配合量が表中の値となる量の意味である。そのまま、表１に記載の時間静置した。すなわち、第１の着香工程は無攪拌下で行った。所定時間静置後、プラスチック製バケツ中の第１の着香液から試験布（２）を取り出し、バケツに投入する直前の試験布（２）の質量に対し、第１の着香工程で所定時間静置後の試験布（２）に含まれている第１の着香液の質量が６０質量％になるまで手で絞った。次いで下記の第２の着香工程を行った。
【００７４】
＜第２の着香工程＞
松下電器産業製洗濯機「愛妻号  ＮＡ−Ｆ７０ＡＰ」に、前記第１の着香工程で得られた試験布（２）５枚と、衣料（肌着とＹシャツを８／２の質量比で用いたもの）２．２ｋｇとを入れ、第１の着香液を４°ＤＨの水で１／３の濃度に希釈（第１の着香液の１質量部に対して水を２質量部混合）して調製した第２の着香液（２０℃）を用いて第２の着香工程を行った。第２の着香工程は、前記洗濯機の標準コースを採用して行った。すなわち、第２の着香工程は攪拌下で行った。また、浴比は１５（Ｌ／ｋｇ）であった。ここで、「Ｌ／ｋｇ」とは第２の着香液の容量（Ｌ）と、試験布（２）及び衣料の合計の質量（ｋｇ）との比を表す。標準コースの脱水工程が終了した後、試験布（２）を取り出し、２０℃、４０％ＲＨの環境下で１２時間放置した。その後、試験布（２）に縫い付けた試験布（１）を取り出し、香りの評価を行った。
【００７５】
＜評価＞
第２の着香工程終了後の試験布（１）９枚をひとまとめにして１セットとし、この１セットにした試験布（１）の評価を１０人の香り専門パネラー（２０代女性５人、３０代男性５人）で行い、下記基準で評価した。判定の数値の平均を表１に示した。判定の数値の平均が２未満を合格とした。数値が１に近い程、爽やかな香りを繊維製品に付与する効果が高い。また、数値の差が０．２以上で優位な差が認められる。
【００７６】
＊爽やかな香りの強さの判定基準
香料の香りだけがする：１
香料以外の臭気をほんの少し感じる：２
香料以外の臭気を少し感じる：３
香料以外の臭気を感じる：４
香料以外の臭気をハッキリ感じる：５
【００７７】
〔色落ち防止性の評価〕
（Ｉ）色落ち評価用試験布の調製
綿１００％のニットスムース、シルケット加工品に染料（Ｃ．Ｉ．Ｒｅａｃｔｉｖｅ  Ｒｅｄ  ４１）を布に対して４質量％の濃度になるように尽色染色後、水洗、ソーピング、プレスして、１０ｃｍ×１０ｃｍの色落ち評価用試験布（３）とした。
【００７８】
（II）色落ち防止性試験方法
前記の「香りの評価」において、試験布（１）を試験布（３）に置き換えて、同じ方法で第１、第２の着香工程を行った。第２の着香工程後、得られた試験布（３）９枚の１枚ずつについて、それぞれ視覚判定の専門パネラー（２０代女性５人、３０代男性５人）で色落ち防止性の判定を行った。試験前の試験布（３）の色合いを１とし、下記の基準で視覚評価を行った。判定の数値の平均を表１に示した。判定の数値の平均が２以下を合格とした。数値が１に近い程、色落ちの抑制効果が高い。また、数値の差が０．２以上で優位な差が認められる。
【００７９】
＊色落ち防止性の判定基準
色落ちしていない（試験前の試験布（３）と差がない）：１
ほんの少しだけ色落ちする：２
少しだけ色落ちする：３
色落ちする：４
激しく色落ちする：５
【００８０】
【表１】
2014058755.tif 000004